(57)【特許請求の範囲】
【請求項１】
上流側ガス配管と下流側ガス配管とを連結して前記上流側ガス配管から前記下流側ガス配管へガスを供給するガス供給器であって、
前記上流側ガス配管側内に前記下流側ガス配管側を挿入して連結する第１連結部の前記上流側ガス配管側に、前記第１連結部の連結が解けた際に前記ガスの流れによって音を発する第１発音部であり、前記下流側ガス配管側の挿入により連結状態では音を発しないように塞がれる第１発音部と、
前記上流側ガス配管としての第１チューブであり、前記第１発音部を有する第１チューブと、
前記第１チューブと前記下流側ガス配管とを連結する連結管であり、前記第１チューブ内に挿入して連結可能であり、連結状態では前記第１発音部から音を発しないように前記第１発音部を塞ぐ前記第１連結部を有する連結管と
を有するガス供給器。
【請求項２】
前記第１連結部の上流側ガス配管側の先端部に、当該先端部からガスが吐出される際に振動して音を発するように設けられた切欠きを有する請求項１記載のガス供給器。
【請求項３】
前記連結管は、前記下流側ガス配管としての第２チューブ内に挿入して連結可能な第２連結部に、当該第２連結部の連結が解けた際に前記ガスの流れによって音を発する第２発音部であり、連結状態では音を発しないように前記第２チューブにより覆われて塞がれる第２発音部を有する請求項１または２記載のガス供給器。
【発明の詳細な説明】
【技術分野】
【０００１】
本発明は、酸素、窒素ガス、亜酸化窒素（笑気ガス）、二酸化炭素、炭酸ガスや滅菌ガスなどの医療用ガス等のガスを供給するガス供給器に関する。
【背景技術】
【０００２】
医療現場において、酸素吸入を必要とする患者に対し、酸素ボンベより減圧された酸素を配管により湿潤器に通して加湿した後、チューブを介して吸入マスクより吸入させることが行われている。ところが、この湿潤器や吸入マスクに連なるチューブが何らかの要因により外れてしまうと、患者に対して正常に酸素が供給されなくなるが、このチューブが外れても何ら警報が発せられないため、気付かないことがある。
【０００３】
ところで、例えば、特許文献１には、患者に適正量の酸素吸入時に、酸素吸入状態をモニタする医療用ガス流量計が開示されている。この医療用ガス流量計は、医療用ガスの流量を流量センサにより測定し、流量低下が認められた時に流量異常を判定し、警報を発するというものである。
【先行技術文献】
【特許文献】
【０００４】
【特許文献１】特開２００２−１７７３９７号公報
【発明の概要】
【発明が解決しようとする課題】
【０００５】
上記特許文献１に記載の医療用ガス流量計では、医療用ガスの流量低下を判定することが可能であるが、前述のようにチューブが外れた場合には医療用ガス自体の流量が低下するわけではないため、これを検出することができない。
【０００６】
そこで、本発明においては、医療用ガス等のガスを供給するガス配管の連結部が解けたことを検知することが可能なガス供給器を提供することを目的とする。
【課題を解決するための手段】
【０００７】
本発明のガス供給器は、上流側ガス配管と下流側ガス配管とを連結して上流側ガス配管から下流側ガス配管へガスを供給するガス供給器であって、上流側ガス配管と下流側ガス配管との連結部に、連結部の連結が解けた際にガスの流れによって音を発する発音部を備え、連結部は、発音部から音を発しないように上流側ガス配管と下流側ガス配管とを連結するものである。
【０００８】
本発明のガス供給器によれば、正常時には、発音部から音を発しないように上流側ガス配管と下流側ガス配管との連結部が連結されており、この連結部の連結が解けた際に発音部がガスの流れによって音を発するので、ガス配管の連結部が解けたことを検知することが可能となる。
【発明の効果】
【０００９】
本発明によれば、上流側ガス配管と下流側ガス配管との連結部に、連結部の連結が解けた際にガスの流れによって音を発する発音部を備え、連結部が、発音部から音を発しないように上流側ガス配管と下流側ガス配管とを連結する簡単な構成により、低コストでガス配管の連結部が解けたことを検知することが可能となる。
【図面の簡単な説明】
【００１０】
【図１】本発明の第１実施形態における連結管の組み付け前の状態を示す平面図である。
【図２】図１の連結管の組み付け後の状態を示す平面図である。
【図３】連結管から第２チューブが外れた状態を示す平面図である。
【図４】本発明の第２実施形態における連結管の組み付け前の状態を示す平面図である。
【図５】図４の連結管の組み付け後の状態を示す平面図である。
【図６】第１チューブから連結管が外れた状態を示す平面図である。
【図７】本発明の第３実施形態におけるガス供給器の構成図である。
【図８】第１チューブから第２チューブが抜け外れた状態を示す説明図である。
【図９】本発明の実施の形態におけるガス供給器の適用例を示す説明図である。
【図１０】図９のガス供給器の要部拡大図である。
【図１１】連結管からチューブが外れた状態を示す要部拡大図である。
【発明を実施するための形態】
【００１１】
図１は本発明の第１実施形態における連結管の組み付け前の状態を示す平面図、図２は図１の連結管の組み付け後の状態を示す平面図、図３は連結管から第２チューブが外れた状態を示す平面図である。
【００１２】
図１において、本発明の第１実施形態におけるガス供給器は、ガスとしての医療用ガスを供給する上流側ガス配管としての第１チューブ１１と下流側ガス配管としての第２チューブ１２とを連結する連結管１を含む。医療用ガスは、第１チューブ１１側から連結管１を通じて第２チューブ１２側へ供給される。連結管１の両端部は、図２に示すように第１チューブ１１および第２チューブ１２内に挿入して連結可能な連結部２となっている。
【００１３】
連結部２には、連結部２の連結が解けた際に音を発する発音部３を備えている。発音部３は、連結部２に丸い貫通孔を設けることにより構成されている。連結部２は、発音部３から音を発しないように第１チューブ１１と第２チューブ１２とを連結する。すなわち、発音部３は、連結状態では第１チューブ１１および第２チューブ１２に覆われて塞がれており、発音部３は機能しない。また、この状態では、第１チューブ１１から供給される医療用ガスは、漏れることなく第２チューブ１２へ供給される。
【００１４】
上記構成の連結管１によれば、第１チューブ１１と第２チューブ１２とが連結管１によって正常に連結されている状態では、第１チューブ１１から連結管１を通じて第２チューブ１２まで医療用ガスは漏れなく供給され、発音部３から音は発せられない。しかし、図３に示すように、第２チューブ１２が連結管１から抜け外れると、連結部２を流れる医療用ガスによって発音部３から音が発せられる。これにより、医療従事者等は第２チューブ１２が外れたことを知ることができる。
【００１５】
なお、本実施形態における連結管１は、両端部に発音部３を設けることで、使用する向きに関わらず、第２チューブ１２が抜け外れた際に発音部３から音が発せられる構成としているが、発音部３は下流側ガス配管である第２チューブ１２側にのみ備える構成としても良い。
【００１６】
図４は本発明の第２実施形態における連結管の組み付け前の状態を示す平面図、図５は図４の連結管の組み付け後の状態を示す平面図、図６は第１チューブから連結管が外れた状態を示す平面図である。
【００１７】
図４において、本発明の第２実施形態におけるガス供給器は、ガスとしての医療用ガスを供給する上流側ガス配管としての第１チューブ４と、第１チューブ４と第２チューブ１２とを連結する連結管５とを含む。連結管５の両端部は、図５に示すように第１チューブ４および第２チューブ１２内にそれぞれ挿入して連結可能な連結部６ａ，６ｂとなっている。
【００１８】
連結部６ａには、連結部６ａの連結が解けた際に音を発する発音部７を備えている。発音部７は、連結部６ａに丸い貫通孔を設けることにより構成されている。一方、連結部６ｂには発音部７を備えていないが、第１チューブ４の端部の連結管５が挿入されて連結される連結部８には、連結部８の連結が解けた際に音を発する発音部９を備えている。発音部９は、連結部８に丸い貫通孔を設けることにより構成されている。
【００１９】
連結部６ａは、発音部７から音を発しないように第２チューブ１２と連結管５とを連結する。一方、連結部８は、発音部９から音を発しないように第１チューブ４と連結管５とを連結する。すなわち、連結状態では、発音部７は第２チューブ１２により覆われて塞がれており、発音部９は連結管５の連結部６ｂの挿入により塞がれており、発音部７，９は機能しない。また、この状態では、第１チューブ４から供給される医療用ガスは、漏れることなく第２チューブ１２へ供給される。
【００２０】
上記構成の第１チューブ４および連結管５によれば、第１チューブ４と第２チューブ１２とが連結管５によって正常に連結されている状態では、第１チューブ４から連結管５を通じて第２チューブ１２まで医療用ガスは漏れなく供給され、発音部７，９から音は発せられない。しかし、図６に示すように、連結管５が第１チューブ４から抜け外れると、第１チューブ４を流れる医療用ガスによって発音部９から音が発せられる。これにより、医療従事者等は連結管５が外れたことを知ることができる。第２チューブ１２が連結管５から抜け外れた場合は、第１実施形態において説明した通りである。
【００２１】
なお、第１チューブ４の発音部９と、連結管５の発音部７とはそれぞれ独立して機能するため、いずれか一方のみを備えた構成とすることも可能である。
【００２２】
図７は本発明の第３実施形態におけるガス供給器の構成図、図８は第１チューブから第２チューブが抜け外れた状態を示す説明図である。
【００２３】
図７において、本発明の第３実施形態におけるガス供給器は、下流側ガス配管としての第２チューブ１２に連結される上流側ガス配管としての第１チューブ１０を含む構成である。第２チューブ１２は、第１チューブ１０内に嵌合される。
【００２４】
第１チューブ１０と第２チューブ１２との連結部１３の第１チューブ１０側には、連結部１３の連結が解けた際、すなわち、第２チューブ１２が第１チューブ１０から抜け外れた際に、第１チューブ１０内を通過する酸素の流れによって音を発する発音部１４を備える。発音部１４は、第１チューブ１０の先端部に形成されたＶ字状の切欠き１５と、音程調整用の開孔１６とを有する。
【００２５】
切欠き１５は、図８に示すように、第１チューブ１０から第２チューブ１２が抜けて第１チューブ１０の先端部から酸素が吐出される際に、第１チューブ１０の先端部が振動して音を発するようにするために設けられたものである。開孔１６は、その大きさと数量を調整することで、発音部１４から発せられる音の音程を調整することが可能である。
【００２６】
連結部１３は、第２チューブ１２が第１チューブ１０内に嵌合して、切欠き１５および全ての開孔１６を塞ぐようにすることで、発音部１４から音を発しないように第１チューブ１０と第２チューブ１２とを連結するものである。第２チューブ１２が第１チューブ１０内に嵌合したとき、第１チューブ１０内に供給された酸素は、切欠き１５および全ての開孔１６に到達することなく、第１チューブ１０内から第２チューブ１２内へと通過するので、発音部１４から音は発せられない。
【００２７】
図９は本発明の実施の形態におけるガス供給器の適用例を示す説明図、図１０は図９のガス供給器の要部拡大図、図１１は連結管からチューブが外れた状態を示す要部拡大図である。
【００２８】
図１０に示すガス供給器は、酸素ボンベ（図示せず。）から配管２０を通じて供給されるガスとしての酸素を加湿する湿潤器２１と、湿潤器２１の吐出管２２に連結される連結管２３と、連結管２３に連結されるチューブ２４とから構成される。チューブ２４の先には患者に装着される吸入マスク（図示せず。）が連結されている。連結管２３の先端部には、前述と同様の発音部２５が設けられている。
【００２９】
この構成において、チューブ２４が連結管２３に正常に連結されている状態では、湿潤器２１の吐出管２２から連結管２３内に供給される酸素は、チューブ２４を通じて吸入マスクへと供給され、発音部２５から音は発せられない。しかし、チューブ２４が連結管２３から抜け外れると、チューブ２４の先端から漏れる酸素の流れによって発音部２５から音が発せられるので、医療従事者はチューブ２４が外れたことを知ることができる。
【００３０】
なお、発音部３，７，９，１４，２５は、上記構成に限らず、正常時すなわち上流側ガス配管と下流側ガス配管とが連結されているときには音が発せられず、異常時すなわち上流側ガス配管と下流側ガス配管との連結が解けた際に、ガスの流れによって音を発する構成であれば良い。
【産業上の利用可能性】
【００３１】
本発明のガス供給器は、医療用ガス等のガスを供給する装置として有用であり、特に、ガス配管の連結部が解けたことを検知することが可能なガス供給器として好適である。
【符号の説明】
【００３２】
１，５，２３  連結管
２，６ａ，６ｂ，８，１３  連結部
３，７，９，１４，２５  発音部
４，１０，１１  第１チューブ
１２  第２チューブ
１５  切欠き
１６  開孔
２０  配管
２１  湿潤器
２２  吐出管
２４  チューブ
【図１】
0006324827.tif 000002
【図２】
0006324827.tif 000003
【図３】
0006324827.tif 000004
【図４】
0006324827.tif 000005
【図５】
0006324827.tif 000006
【図６】
0006324827.tif 000007
【図７】
0006324827.tif 000008
【図８】
0006324827.tif 000009
【図９】
0006324827.tif 000010
【図１０】
0006324827.tif 000011
【図１１】
0006324827.tif 000012